(57)【特許請求の範囲】
【請求項１】
スクリーンを垂下方向へ展開・上側へ収納自在なロールブラインドであって、スクリーン展開時に、スクリーン一般面よりも透過率の大きな透過部が少なくともひとつ現出するとともに、該透過部は、全展開時のスクリーン中央よりも上側である収納側に偏在することを特徴とするロールブラインド。
【請求項２】
前記透過部において、スクリーンの展開量に応じて光の透過量が逓増することを特徴とする、請求項１記載のロールブラインド。
【請求項３】
前記透過量の逓増は、透過部の面積が展開方向に向かって逓減することによって成されることを特徴とする、請求項２記載のロールブラインド。
【請求項４】
前記透過量の逓増は、透過部における透過率が展開方向に向かって逓減することによって成されることを特徴とする、請求項２記載または請求項３記載のロールブラインド。
【請求項５】
前記透過部が、スクリーン一般面に穿設された開口であることを特徴とする、請求項１または請求項２または請求項３または請求項４記載のロールブラインド。
【請求項６】
前記透過部が、スクリーン一般面に穿設された開口とそれを被覆する別部材とから成ることを特徴とする、請求項１または請求項２記載または請求項３または請求項４記載のロールブラインド。
【請求項７】
前記透過部および／または別部材に、意匠性を持たせたことを特徴とする請求項５または請求項６記載のロールブラインド。
【発明の詳細な説明】
【０００１】
【発明の属する技術分野】
本発明は、部屋の窓など開口部に取り付けて外光の室内への採光量を調節するためのロールブラインドに関するものである。
【０００２】
【従来の技術】
従来のロールブラインドは、建物や車両の窓などに取り付け、外光の採光量を調節・制限したり外部から屋内・車内を除けないようにするため、遮光性のあるスクリーンを任意の面積だけ展開した状態を維持できるようになっている。
【０００３】
しかし、スクリーンを一方向へ展開し反対方向へ巻取り収納する構造であるため、途中状態においては一義的に遮光される側と採光される側が決まる。例えば家の窓の上枠に取り付けたロールブラインドからスクリーンを垂下方向に展開する場合、途中状態で固定するとスクリーン下端より上側の窓はスクリーンで遮光され、それより下側の窓は遮蔽されず採光状態となる。
【０００４】
【発明が解決しようとする問題点】
ところが実生活においては、外部から屋内を覗けないようにしつつ照明のため充分な採光を確保したいような場合が多くある。特に、窓外の通行人や隣家からのプライバシーを確保したい場合には、他人の目線高に相当する窓の下方だけを遮蔽したい。この場合、従来のロールブラインドでは窓を全遮蔽（スクリーン全展開状態）もしくはそれに近い状態でほぼ完全に遮光して、屋内灯を点灯することで、プライバシー保護と屋内照明とを両立させていた。しかしわざわざ採光を遮り屋内灯に依存するのは、甚だ不経済であるし健康上も好ましくない。
【０００５】
また、プライバシーを確保した上である程度の採光を確保しようとすると、窓の下部だけを少し残して遮蔽するのであるが、僅かな採光で部屋の床部しか照明できず部屋全体の照明には至らない。従って、自然光採光とプライバシー確保という背反を両立できないという問題があった。これらの問題は、窓の両側あるいは片側に取付けられ、水平方向に展開・収納する方式のロールブラインドにおいても同様である。
【０００６】
本発明は上記問題点に鑑み、ある程度スクリーンを展開し窓の下側（展開先側）を遮光した状態においても、それより上部（収納側）に設けた光の透過部から外光を採光できるようにしたロールブラインドを提供することを目的としている。
【０００７】
【課題を解決するための手段】
上記目的を達成するため本発明によるロールブラインドは、スクリーンを垂下方向へ展開・上側へ収納自在なロールブラインドであって、スクリーンを展開すると、スクリーン一般面よりも透過率の大きな透過部が少なくともひとつ現れるとともに、該透過部は、全展開時のスクリーン中央よりも上側である収納側に偏在することを第１の特徴とする。
【０００８】
この第１の特徴によれば、遮蔽幕たるスクリーンを所望量だけ展開（垂下）して固定し、窓の展開先側（下側）を遮蔽した状態であっても、それより収納側の部分（上側）に現出した一つ又は複数の透過部から積極的に採光できるので、採光による部屋照明とプライバシー確保とを両立でき、しかも、スクリーンの展開量、すなわち固定位置によって、採光と遮光およびプライバシー確保の割合を任意に調整できる。
【０００９】
併せて、上記特徴に加えて、透過部をスクリーン全展開時における中央よりも収納側に偏在させると良い。
【００１０】
これによれば、ひとつ又は複数の透過部がスクリーン中央部よりも収納側に位置して偏在するので、スクリーンを充分に展開し遮光およびプライバシー確保の割合をより好ましく調節可能である。また、窓を全遮蔽した状態を越えてさらに展開したときに透過部が現出するように設定すれば、完全遮蔽状態と上部採光状態の両方を選択可能となる。
【００１１】
さらに本発明は、上記特徴に加えて、スクリーンの展開量に応じて透過部における光の透過量が逓増するようにしたことを第２の特徴とする。
【００１２】
この第２の特徴によれば、スクリーンの展開量に伴って透過部の現出状態が変化するので、透過量、すなわち採光量が線形的、非線形的、あるいは段階的に増加する。従って、少ない展開量調節によって採光量を大きく調節できる。また、展開量と透過量（採光量）の関係における設定自由度が向上するので、例えば展開量に伴い透過量が二次曲線的に増加するような設定も任意となる。
【００１３】
さらに本発明は、上記特徴に加えて、透過部の面積が、展開方向に向かって逓減することを第３の特徴とする。
【００１４】
この第３の特徴によれば、スクリーンの展開量に伴って、現出する透過部自体の面積を逓増変化させるという簡単な構成によって、スクリーンの展開量に応じて透過部における光の透過量（採光量）を増大させるようにできる。
【００１５】
さらに本発明は、上記特徴に加えて、透過部における透過率が、展開方向に向かって逓減するようにしたことを第４の特徴とする。
【００１６】
この第４の特徴によれば、展開時の透過部の面積を変化させられない、あるいは、面積変化を大きく設定できない場合であっても、展開量に伴い透過部自体の透過率（採光量）を増大させるように設定できる。また、請求項３に記載の発明との組合せにより、一層顕著に透過量を任意設定できる。
【００１７】
さらに本発明は、上記特徴に加えて、透過部が、スクリーン一般面に穿設された開口であることを第５の特徴とする。
【００１８】
この第５の特徴によれば、従来のスクリーン自体に単数または複数の任意形状の開口だけを設けるという簡単かつ経済的な手段によって、上記発明を実現できる。
【００１９】
さらに本発明は、上記特徴に加えて、透過部がスクリーン一般面に穿設された開口と、それを被覆する別部材とで構成されることを第６の特徴とする。
【００２０】
この第６の特徴によれば、スクリーンに設けられた単数または複数の開口を被覆するように別部材周辺を開口周囲に固定し、この別部材自体の透過率を設定することによって、簡単に上記発明を実現できる。
【００２１】
さらに本発明は、上記特徴に加えて、透過部および／または透過部を被覆する別部材に、意図的に意匠性を持たせたことを第７の特徴とする。
【００２２】
この第７の特徴によれば、透過部自体の形状や配列によって美観を呈するようにデザインしたり、光の透過部たる別部材に、貼付け、印刷、コーティング、変色、着色およびその他の手段で意匠性を有する装飾模様を設けることによって、美術性のある透過光が得られるとともに装飾面自体も美観を呈する。従って、採光に加えて美観をも享受できるものである。
【００２３】
【発明の実施の形態】以下、この発明を具体化した一実施の形態を図面に従って説明する。第１実施例を示す図１及び図２及び図３において、ロールブラインド１は、窓２の上部に水平固定される取付フレーム３の両端に支持部材４が取着され、その支持部材４間に巻取軸５が回転可能に支持されている。図１は、窓２の手前にロールブラインド１が設置され、窓２全面がスクリーン６によって覆われ、採光が遮蔽された状態を示している。
【００２４】
前記巻取軸５にはスクリーン６が装着され、その巻取軸５から展開され垂下されるスクリーン６の下端にはウエイトバー７の中間部から操作ひも８が垂下されている。
【００２５】
前記巻取軸５内には、同巻取軸５にスクリーン引上げ（収納）方向への回転力を付与する捩じりコイルスプリングと、巻取軸５のスクリーン引上げ（収納）方向への回転を阻止するストッパ装置とが内臓されている。そして、操作ひも８を操作してスクリーン６をα方向へ引き下げて展開し、所望位置でストッパ装置を作動させることにより、スクリーン６を所望位置まで引き下げた状態、すなわち、所望量だけ展開した状態に保持可能である。また、操作ひも８を操作してストッパ装置の作動を解除することにより、捩じりコイルスプリングの付勢力を利用して、スクリーン６を引き上げて収納可能である。
【００２６】
スクリーン６の一般面を構成する生地は、ポリエステル等の柔軟性と遮光性を有する職布を裁断して形成されている。スクリーン６一般面には、全展開時の中央よりも収納側（図１のβ方向）へ偏った位置に略矩形の開口９が穿設されており、この開口９を別部材１０が覆うとともに開口９の周囲に接着や溶着等の周知手段で固着されている。
【００２７】
そして、開口９と別部材１０とによって、一般面よりも透過量が大きな透過部１１を構成している。本実施例では、全面でほぼ一様に透明で柔軟な別部材１０を用いている。なお、図２は中間展開状態であり、図３は透過部１１が全部現出した完全展開状態である。
【００２８】
上記のようなロールブラインド１では、スクリーン６をα方向へ引き降ろして展開すると、先ず図１のように窓２前面を覆って採光を遮蔽するような通常のブラインド機能を発揮する。そのままスクリーン６を引き降ろして展開し続けると、図２のようにスクリーン６上部に透過部１１が現出し、さらに展開させると略矩形の透過部１１の面積が次第に増大し、それに伴い透過部１１からの採光量も次第に増大する。そして、所望の展開量、すなわち透過部１１が所望の現出面積に達したら、ストッパ装置を作動させスクリーン６をその状態に固定する。
【００２９】
上記操作によって、スクリーン６を展開し窓２の下側を遮光した状態においても、それより上方（スクリーン中央よりも上側）に偏在する透過部１１から外光を採光できるので、プライバシー確保と窓上部からの採光とを両立できる。また、略矩形の透過部１１がスクリーン６の展開に伴いその面積を拡大するので、展開量増加に対応して採光量が線形的に増加する。従って、展開量に伴う採光量を任意に調節可能である。
【００３０】
次に、第４図及び第５図に示す第２実施例について説明する。この第２実施例は、透過部１４の形状を略矩形ではなくて、展開時に下向きの略台形であってその両斜辺が上方に凸の曲線になるように設定したものである。透過部１４は第１の実施例と同様に、開口１２と、全面ほぼ一様に透明で柔軟な別部材１３とによって構成され、スクリーン６の一般面よりも透過量が大きく設定されている。
【００３１】
この第２実施例によれば、スクリーン６を引き降ろして展開すると、スクリーン６上部に透過部１４下端が現出し、さらに展開させると略逆台形の透過部１４の面積が次第に増大し、それに伴い透過部１４からの採光量も次第に増大する。ここにおいて、透過部１４の形状により展開量増加に対応して採光量が非線形的に増大（逓増）する。そのため、少しだけ展開量を増加しても、透過部１４の面積増加の割合を大きく、すなわち採光量の増加量を大きく設定できる。
【００３２】
次に、第６図に示す第３実施例について説明する。この第３実施例は、透過部１５の形状を実施例２と同様の略逆台形とし、開口１７を覆う別部材１６の濃度を、展開方向（図のα方向）から収納方向（図のβ方向）へ次第に透過率が大きくなるように設定したものである。具体的には、色濃度を漸変（グラデーション）処理された別部材を用いている。
【００３３】
この第３実施例によれば、実施例２と同様、展開に伴う採光量調節ができるのであるが、これに加え透過部の濃度変化による採光量変化も組合せて、より微妙な採光量／プライバシー調節を可能とした。すなわち、実施例２では透明な透過部現出によってかなりの採光が得られる反面、いきなりの外部露出（プライバシー損失）を避けられないが、本実施例によれば、透過部１５現出による採光量増大とプライバシー損失を徐々に移行調節できる。また、その度合いの設定も、透過部の面積と濃度という二つのパラメータの組合せに依存し、自由度が拡大する。
【００３４】
次に、第７図に示す第４実施例について説明する。この第４実施例は、透過部１８を丸孔形状の複数開口１９で構成したものである。個々の開口１８は展開先側（最下部）を小径開口列とし、収納側に行くに従って大径化するとともに、列全体の総開口面積も次第に増加するように設定してある。従って、展開に伴って順次総面積の増えた列が現出し、次第に採光量が増えていくのである。なお、個々の開口は別部材で被覆していないが、適宜被覆しても構わない。
【００３５】
この第４実施例によれば、採光量増大とプライバシー損失の移行調節を、透過部の開口面積と配列という二つのパラメータによって簡単かつ任意に設定できるだけでなく、意匠性のある透過部形状および配列によって、美観をも享受できる。なお、この美観享受は、部屋の中の者だけでなく、部屋の外の者も享受できるものである。
【００３６】
次に、第８図および第９図に示す第５実施例について説明する。この第５実施例は、透過部２０が花弁を模した形状で構成されたものである。その開口２２と別部材２１も花弁形状を成しており、別部材２１は均一濃度の色を有するものである。
【００３７】
この第５実施例によれば、実施例４と同様、採光に加えて内外の者が美観を享受できるが、花を連想する透過部２０の形状と着色によって、より一層の美観を呈することが特徴である。このように、任意の透過部形状と着色によって、意匠性を一層高めることができる。
【００３８】
次に、第１０図に示す第６実施例について説明する。この第６実施例は、薄い着色を施した透過部２３の一般面に、意図的に複雑な形状かつ多色彩の模様を設けたものである。詳しくは、略矩形の開口２６を別部材２４が覆い、別部材２４には、貼付け、印刷、コーティング、変色、着色およびその他の手段で任意の装飾模様２５が施されている。
【００３９】
この第６実施例によれば、これによって、美術性のある透過光が得られるとともに装飾面自体も美観を呈する。模様２５は、より複雑なステンドグラス様としてもよいし、美術的なものに限らず、店名やメッセージなど、広告性のあるマークや文字等にしてもよい。但し、これらの場合は主に外部者が見ることになるので、外部から見て順当な向きとなるように配すると良い。そうして、夜間は部屋の明かりを灯すと、外部者へも美観を享受させられる。
【００４０】
以上、本発明の実施例を詳述したが、本発明はその要旨を逸脱しない範囲で種々の実施を行うことができる。例えば、透過部および／または別部材の配置、形状、数、色彩、模様はそれぞれ任意であるとともに、それらの組合せも任意である。
また、窓部への取付け位置および方法や、スクリーンの展開方向や、スクリーンの展開駆動手段（手動、電動、その他）も任意である。さらに、スクリーンに関しては、その材質および構成は任意である。
【００４１】
【発明の効果】
以上詳述したように、本発明に係るロールブラインドによれば、スクリーンを展開し窓の下側（展開先側）を遮光した状態であっても、それより上部（収納側）に設けた透過部から外光を採光でき、採光とプライバシー確保という背反を簡単な構成で両立できるばかりか、その割合や移行具合も任意に調節できる。さらにその状態において、美観をも享受することができる。しかも、これらを透過部の設定という簡単な追加工だけで達成できるので、従来品における作動信頼性、耐久性、取付け性、操作性等を維持したまま、有益な付加価値を付与できる。
【図面の簡単な説明】
【図１】本発明の第１実施例に係るロールブラインドの正面図である。
【図２】本発明の第１実施例に係るロールブラインドの正面図であって、展開途中状態を示す。
【図３】本発明の第１実施例に係るロールブラインドの正面図であって、全展開状態を示す。
【図４】本発明の第２実施例に係るロールブラインドの正面図であって、展開途中状態を示す。
【図５】本発明の第２実施例に係るロールブラインドの正面図であって、全展開状態を示す。
【図６】本発明の第３実施例に係るロールブラインドの正面図である。
【図７】本発明の第４実施例に係るロールブラインドの正面図である。
【図８】本発明の第５実施例に係るロールブラインドの正面図であって、展開途中状態を示す。
【図９】本発明の第５実施例に係るロールブラインドの正面図であって、全展開状態を示す。
【図１０】本発明の第６実施例に係るロールブラインドの正面図である。
【符号の説明】
６…  スクリーン
９、１２、１７、１９、２２、２６…  開口
１１、１４、１５、１８、２０、２３…  透過部
１０、１３、１６、２１、２４…  別部材
２５…  模様
【図１】
0003559796.tif 000002
【図２】
0003559796.tif 000003
【図３】
0003559796.tif 000004
【図４】
0003559796.tif 000005
【図５】
0003559796.tif 000006
【図６】
0003559796.tif 000007
【図７】
0003559796.tif 000008
【図８】
0003559796.tif 000009
【図９】
0003559796.tif 000010
【図１０】
0003559796.tif 000011